(57)【要約】      （修正有）【課題】マネキンのポーズの自由度を高めるため、マネキンスタンドとマネキンの位置関係の微調整を可能とすることで、マネキンの足とスタンドの干渉やマネキンの股下からスタンド本体が見える状態を回避し、被服の着装感を崩すことなく被服をまとったマネキンの外観を美しく見せるとともに、マネキンの着せ替えを容易とするため、マネキンの高さの調整を容易としたマネキンスタンドを提供する。【解決手段】ベース１０と、スタンドパイプ２０と、マネキン支持部３０と、スタンドパイプとマネキン支持部を連結接続する連結部４０と、からなるマネキンスタンド１であって、スタンドパイプは、クランク形状からなる連結部の一端に、スタンドパイプと同軸の第一回転軸を中心にして回転自在に嵌設するとともに、マネキン支持部は、クランク形状からなる連結部の他端に、マネキン支持部側に設けられる第二回転軸を中心にして回転自在に嵌設した構成である。【選択図】図１
2016140395.tif 000002
【特許請求の範囲】
【請求項１】
マネキンスタンド本体を支えるベースと、該ベースに垂直方向に固定立設されるスタンドパイプと、該スタンドパイプ上部に軸回転自在に設置されるマネキン支持部と、前記スタンドパイプと前記マネキン支持部を連結接続する連結部と、からなるマネキンスタンドにおいて、
前記マネキンスタンドは、スタンドパイプと同軸に設けられる第一回転軸とマネキン支持部側に設けられる第二回転軸の２つの回転軸を有するとともに、該２つの回転軸間に一定の距離を設けるため、
前記スタンドパイプは、クランク形状からなる前記連結部の一端に、スタンドパイプと同軸の第一回転軸を中心にして回転自在に嵌設するとともに、前記マネキン支持部は、クランク形状からなる前記連結部の他端に、マネキン支持部側に設けられる第二回転軸を中心にして回転自在に嵌設した構成であることを特徴とするマネキンスタンド。
【請求項２】
マネキンスタンド本体を支えるベースと、該ベースに垂直方向に固定立設されるスタンドパイプと、該スタンドパイプ上部に軸回転自在に設置されるマネキン支持部と、前記スタンドパイプと前記マネキン支持部を連結接続する連結部と、からなるマネキンスタンドにおいて、
前記スタンドパイプは、中空のパイプ状部材からなり、前記連結部の下端を上下方向に伸縮自在に嵌設保持するとともに、該スタンドパイプの内部に前記連結部を伸縮自在に付勢保持するガススプリングを装備したことを特徴とするマネキンスタンド。
【請求項３】
前記連結部は、前記ガススプリングによる前記連結部の伸縮を制御するため、前記ガススプリングの伸縮を固定維持するストッパを装備したことを特徴とする請求項２記載のマネキンスタンド。
【請求項４】
前記ストッパは、前記連結部または前記スタンドパイプに設置されるスイッチからなり、該スイッチ操作によりガススプリングの固定維持を解除して前記スタンドパイプを伸縮自在にする手段であるとともに任意の場所（高さ）に固定維持することを特徴とする請求項３記載のマネキンスタンド。
【請求項５】
マネキンスタンド本体を支えるベースと、該ベースに垂直方向に固定立設されるスタンドパイプと、該スタンドパイプ上部に軸回転自在に設置されるマネキン支持部と、からなるマネキンスタンドにおいて、
前記スタンドパイプは、中空のパイプ状部材からなり、前記マネキン支持部の下端を上下方向に伸縮自在に嵌合保持するとともに、該スタンドパイプの内部に前記マネキン支持部を伸縮自在に付勢保持するガススプリングを装備したことを特徴とするマネキンスタンド。
【請求項６】
前記スタンドパイプは、前記ガススプリングによる前記マネキン支持部の伸縮を制御するため、前記ガススプリングの伸縮を固定維持するストッパを装備したことを特徴とする請求項５記載のマネキンスタンド。
【請求項７】
前記ストッパは、前記マネキン支持部または前記スタンドパイプに設置されるスイッチからなり、該スイッチ操作によりガススプリングの固定維持を解除して前記スタンドパイプを伸縮自在にする手段であるとともに任意の場所（高さ）に固定維持することを特徴とする請求項６記載のマネキンスタンド。
【発明の詳細な説明】
【技術分野】
【０００１】
本発明は、マネキンを立設して展示するためのスタンドとなるマネキン用のスタンドに関し、特に、マネキンのポーズの自由度を高めるため、マネキンを支持する棒状立設部材からなるマネキンスタンドとマネキンの位置関係の微調整を可能とするとともに、マネキンの着せ替えを容易とするため、マネキンの高さ調整を容易にしたマネキンスタンドに関する。
【背景技術】
【０００２】
従来より、マネキンを立設するためのマネキンスタンドには、多岐にわたる形状や用途のものが存在しており、様々な形状・機能を有する機能性に富んだマネキンスタンドが開発され、使用されている。特に、被服を展示するためのマネキンは、機能性や設置した際の美しさを確保することが要求されるため、多種多様な構造を持つマネキンスタンドが開発されている。
【０００３】
マネキンスタンドは、マネキンを確実に固定支持する必要があると同時に、マネキンが着装した被服をより美しく見せるため、スタンドがマネキンの足に隠れる等によって外観上需要者から見えにくくなるように調整できる機能が要求されることと、マネキンがとるポーズにおいて制約がでないように、マネキンの足とスタンドとの干渉を防いでマネキンがとるポーズの自由度を上げる構成が要求されている。また、季節や流行、イベントに応じて着装する被服を頻繁に交換する必要があるため、マネキンの高さを容易に調整可能とし、被服の交換作業を容易とすることが要求される。
【０００４】
このようなマネキンスタンドに関する技術として、特開２０１１−１４７６４１号が存在する。ここでは、効率よく被服の着せ替えが行えるマネキン支持装置として、マネキン人形体を設置する揺動取付部材と、揺動取付部材を上下揺動可能に枢支して立設する支持部材とを具備するマネキン支持装置であって、枢着部が、揺動取付部材を複数の所定の揺動角度で係止するとともに、係止状態の手動解除を可能とした角度保持機構を備えた構造に関する技術が開示されている。
【０００５】
この技術によれば、マネキンの設置角度が調整可能となるため着せ替えが容易となるが、売り場で着せ替えの為にマネキンの角度を変更するには相当のスペースが必要となり、場合によっては着せ替え作業中にマネキンが他のマネキンや背後の壁に接触または衝突して破損する危険性があった。また、着せ替えをするために高さを調整するにはマネキン本体を支えながら軸を伸ばす作業が必要となり、マネキンの高さを調整して被服の交換作業を行う際に困難を伴うという問題点があった。また、マネキンとスタンドの軸の位置関係の自由な調整は不可能であり、マネキンが着装した被服をより美しく見せるという観点からの配慮が不充分であった。
【０００６】
また、特開２００７−２８２８５８号は、マネキンスタンドに関する技術であって、マネキンを支持するスタンド本体が長手方向上下に分割されており、下部の上端側が上部の下端側にスライド自在に差し込まれ、下部と上部との間には常時上部を上方に押し上げ付勢する付勢手段が設けられた構造に関する技術が開示されている。ここでは、スタンド本体の高さを上下動させることが可能となるため衣装の着せ替え作業が容易となる旨が示唆されている。
【０００７】
この技術によると、確かにマネキンの着せ替え作業が容易となると考えられるが、付勢手段が分割したスタンド本体を上方にのみ付勢している為、スタンド本体を縮めるには力が必要となり、必ずしも衣装の着せ替え時にマネキンの高さの調整が楽になるとは言えなかった。また、マネキンの足とスタンドの干渉を防ぐとともに、マネキンの股の下からスタンド本体が見えてしまうことによる全体の美感の喪失を回避するため、スタンド本体とマネキンの足の位置関係を調整可能とする点については何等言及されておらず、マネキンを立設した状態の見た目の美しさの確保という観点からは配慮が不充分であった。
【０００８】
マネキンスタンドは、頻繁に展示する被服を交換する必要があるため、高いレベルでの利便性や使い勝手の良さが要求され、更に展示された被服を如何に美しく自然に見せるかが重要であるため、上記のような問題点を解消した、使い勝手がよく被服をより美しく見せることを可能としたマネキンスタンドの開発が待たれていた。
【特許文献１】特開２０１１−１４７６４１号公報
【特許文献２】特開２００７−２８２８５８号公報
【発明の開示】
【発明が解決しようとする課題】
【０００９】
本発明は、マネキンを立設して展示するためのスタンドとなるマネキン用のスタンドであって、マネキンのポーズの自由度を高めるため、マネキンを支持する立設した棒状部材からなるマネキンスタンドとマネキンの位置関係の微調整を可能とすることで、マネキンの足とスタンドの干渉やマネキンの股下からスタンド本体が見える状態を回避し、被服の着装感を崩すことなく被服をまとったマネキンの外観を美しく見せることを可能にするとともに、マネキンの着せ替えを容易とするため、マネキンの高さの調整を容易としたマネキンスタンドを提供する。
【課題を解決するための手段】
【００１０】
上記の目的を達成するために本発明に係るマネキンスタンドは、マネキンスタンド本体を支えるベースと、該ベースに垂直方向に固定立設されるスタンドパイプと、該スタンドパイプ上部に軸回転自在に設置されるマネキン支持部と、前記スタンドパイプと前記マネキン支持部を連結接続する連結部と、からなるマネキンスタンドであって、前記マネキンスタンドは、スタンドパイプと同軸に設けられる第一回転軸とマネキン支持部側に設けられる第二回転軸の２つの回転軸を有するとともに、該２つの回転軸間に一定の距離を設けるため、前記スタンドパイプは、クランク形状からなる前記連結部の一端に、スタンドパイプと同軸の第一回転軸を中心にして回転自在に嵌設するとともに、前記マネキン支持部は、クランク形状からなる前記連結部の他端に、マネキン支持部側に設けられる第二回転軸を中心にして回転自在に嵌設した構成である。
【００１１】
また、本発明に係るマネキンスタンドは、マネキンスタンド本体を支えるベースと、該ベースに垂直方向に固定立設されるスタンドパイプと、該スタンドパイプ上部に軸回転自在に設置されるマネキン支持部と、前記スタンドパイプと前記マネキン支持部を連結接続する連結部と、からなるマネキンスタンドであって、前記スタンドパイプは、中空のパイプ状部材からなり、前記連結部の下端を上下方向に伸縮自在に嵌設保持するとともに、該スタンドパイプの内部に前記連結部を伸縮自在に付勢保持するガススプリングを装備した構成でもある。
【００１２】
また、前記連結部は、前記ガススプリングによる前記連結部の伸縮を制御するため、前記ガススプリングの伸縮を固定維持するストッパを装備した構成である。
【００１３】
また、前記ストッパは、前記連結部または前記スタンドパイプに設置されるスイッチからなり、該スイッチ操作によりガススプリングの固定維持を解除して前記スタンドパイプを伸縮自在にする手段であるとともに任意の場所（高さ）に固定維持する構成である。
【００１４】
また、本発明に係るマネキンスタンドは、マネキンスタンド本体を支えるベースと、該ベースに垂直方向に固定立設されるスタンドパイプと、該スタンドパイプ上部に軸回転自在に設置されるマネキン支持部と、からなるマネキンスタンドであって、前記スタンドパイプは、中空のパイプ状部材からなり、前記マネキン支持部の下端を上下方向に伸縮自在に嵌合保持するとともに、該スタンドパイプの内部に前記マネキン支持部を伸縮自在に付勢保持するガススプリングを装備した構成でもある。
【００１５】
また、前記スタンドパイプは、前記ガススプリングによる前記マネキン支持部の伸縮を制御するため、前記ガススプリングの伸縮を固定維持するストッパを装備した構成である。
【００１６】
更に、前記ストッパは、前記マネキン支持部または前記スタンドパイプに設置されるスイッチからなり、該スイッチ操作によりガススプリングの固定維持を解除して前記スタンドパイプを伸縮自在にする手段であるとともに任意の場所（高さ）に固定維持する構成である。
【発明の効果】
【００１７】
本発明は、上記詳述した通りの構成であるので、以下のような効果を奏する。
１．スタンドパイプとマネキン支持部をクランク形状からなる連結部で各々回転自在に接続したため、スタンドパイプとマネキン支持部の回転軸が一定の距離をとった異軸となり、マネキンのポーズの自由度が増す。この２軸による回転により、マネキンとスタンドパイプの位置関係の微調整が可能となってマネキンの股下からスタンド本体が見える状態が解消されるとともに被服とスタンドパイプの干渉による服の盛り上がりやヨレ等が解消されることとなり、被服をまとったマネキンの外観をより美しく見せることが可能となる。
２．スタンドパイプ内部に連結部を伸縮自在に付勢保持するガススプリングを設けたため、連結部を介してスタンドパイプとマネキン支持部間の伸縮を僅かな力で行うことが可能になり、マネキンの着せ替えが容易となる。
【００１８】
３．連結部にガススプリングの伸縮を固定維持するストッパを装備したため、連結部の伸縮移動を制御することが可能となる。
４．ストッパによりガススプリングの固定維持および解除を可能としたため、簡易な操作でガススプリングの固定・解除の制御が可能となり、任意の場所での固定維持が可能となる。
【００１９】
５．スタンドパイプとマネキン支持部を直接接続した上で、スタンドパイプ内部に連結部を伸縮自在に付勢保持するガススプリングを設けたため、相互に嵌合したスタンドパイプとマネキン支持部の伸縮が可能になるとともに、僅かな力で伸縮させることが可能となる。
６．スタンドパイプにガススプリングの伸縮を固定維持するストッパを装備したため、スタンドパイプとマネキン支持部の伸縮移動を制御することが可能となる。
７．マネキン支持部またはスタンドパイプに設置したストッパによりガススプリングの固定維持および解除を可能としたため、簡易な操作でガススプリングの固定・解除の制御が可能となり、任意の場所での固定維持が可能となる。
【発明を実施するための最良の形態】
【００２０】
以下、本発明に係るマネキンスタンドを、図面に示す実施例に基づいて詳細に説明する。
図１は、本発明に係るマネキンスタンドの斜視図であり、図２は、連結部がクランク状からなるスタンドパイプの側断面図である。図３は、マネキン支持部とスタンドパイプを同軸としたマネキンスタンドの斜視図であり、図４ａは、連結部が直線状からなるスタンドパイプの側断面図である。図４ｂは、連結部が直線状からなるスタンドパイプの側断面図であり、図５は、マネキン支持部とスタンドパイプを直結したマネキンスタンドの斜視図である。図６ａは、マネキン支持部とスタンドパイプを直結した場合のスタンドパイプの側断面図であり、図６ｂは、マネキン支持部とスタンドパイプを直結した場合のスタンドパイプの側断面図である。図７は、マネキンスタンドの他の実施例を示す斜視図である。
【００２１】
本発明のマネキンスタンド１は、図１に示すように、ベース１０と、スタンドパイプ２０と、マネキン支持部３０と、連結部４０とからなり、ベース１０に垂直に固定立設されたスタンドパイプ２０が連結部４０を介してマネキン支持部３０と接続されており、マネキン支持部３０が被服等をまとったマネキン本体を支持することで、マネキンを安定した状態として展示する構成である。なお、本件におけるマネキンとは、衣装を装着させて飾る陳列用の等身大の人形であり、人間の全身を模した形状からなる人形のほか、胴体部分のみからなるいわゆるトルソーやボディーなど他の形状も含むものである。
【００２２】
ベース１０は、マネキンスタンド本体を支える基礎となる円形の支持脚部であり、本実施例では、図１に示すように、薄板の円盤状部材からなる。ベース１０は、マネキンスタンド１の基礎であり被服を纏わせたマネキンを支えるための土台となる部材であるため、強度が求められるほか、マネキンの搭載後に重心が高くなって転倒することを防止するため、適度な座面と円形面積と重量を有することが望ましい。また、マネキンスタンド本体にマネキンを設置した後、スタンド本体を軸回転してマネキンの設置方向を変更した場合であっても、ベース１０の正面がずれてスタンド等が見えてしまわないように、ベース１０の形状が正面を特定できない形状とすることが望ましい。本実施例では、ベースを円形状としてベース１０の正面が特定されない構成とするとともに、その材質としてスチールやステンレス等の鉄を使用しているが、これに限定されることはなく、他の形状や材質のものを適宜選択することが可能である。
【００２３】
スタンドパイプ２０は、ベース１０に垂直方向に固定立設される中空の棒状部材である。スタンドパイプ２０に更に後述のマネキン支持部３０と連結部４０を接続して搭載することで、マネキンを服を装着させて確実に立った状態で支持出来る構成となっている。スタンドパイプ２０は、マネキンとマネキン支持部３０と連結部４０を確実に支える必要があるため、これらの重量に耐え得る強度を有することが望ましい。本実施例では、スタンドパイプ２０の材質として鉄などの強度を有する材質のものを使用しており、スタンドパイプ２０とベース１０はねじ止めによって固定接続する構造としているが、これに限定されることはなく、例えば溶接によって強固に接続する構成とすることが可能である。
【００２４】
マネキン支持部３０は、スタンドパイプ２０の上部であって後述の連結部４０に軸回転自在に接続設置される部材であり、マネキンを支持するための支持部材である。マネキン支持部３０は、一端が連結部４０に接続され、他端がマネキンを接続保持する棒状部材であるため、軽量かつ強度を有する材質によって構成することが望ましい。本実施例では、ステンレス、スチール等の鉄を利用しているが、これに限定されることはなく、その他の堅固な金属等の部材を適宜選択して使用することが可能である。
【００２５】
マネキン支持部３０の上部には、干渉回避部３４とマネキン結合部３６が装備されている。干渉回避部３４は、被服とスタンドが干渉して被服にヨレ等が発生し着装感の崩れを起こすことを回避するための曲線形状からなり、図１に示すように、本実施例では、上方へ伸延する逆Ｕ字型からなる。これにより、上着の裾とズボン（パンツ）の上端とが整えられるので相互の重なり合いを回避できる。また、マネキン結合部３６は、マネキンの腰部分に設けられた嵌合口（図示せず）に嵌合して固定保持するための棒状部材であり、本実施例では、図１に示すようにやや上向きに平設された２本の棒をマネキンに嵌合する構造である。これにより、ズボンやスカートをマネキンに装着させた際に、マネキン支持部３０が被服に干渉することを回避でき、被服の着装感の崩れを防止することができるとともに、マネキンからの被服の脱落を防止し、かつ確実に固定保持することを可能としている。
【００２６】
連結部４０は、スタンドパイプ２０とマネキン支持部３０とを連結するためのクランク形状の部材であり、図１または図３に示すように、スタンドパイプ２０とマネキン支持部３０との間に設置される。連結部４０は、下端が一方の軸であるスタンドパイプ２０に連結され、上端が他方の軸であるマネキン支持部３０に連結され、いずれも軸回転自在に嵌合接続される構成である。
【００２７】
連結部４０は、図１に示すように、クランク形状とすることが可能である。スタンドパイプ２０は、クランク形状からなる連結部４０の一端に嵌設される。この実施例では、スタンドパイプ２０と同軸の第一回転軸２２を中心にして回転自在に連結部４０に嵌設する構成である。また、この実施例では、マネキン支持部３０は、クランク形状からなる連結部４０の他端に、マネキン支持部３０側に設けられる第二回転軸３２を中心にして回転自在に嵌設する構成である。
【００２８】
この構成とすることにより、マネキンスタンド１は、スタンドパイプ２０と同軸に設けられる第一回転軸２２とマネキン支持部３０側に設けられる第二回転軸３２の２つの回転軸を有することとなる。すなわち、２つの回転軸２２・３２間に一定の距離が設けられることになるため、スタンドパイプ２０とマネキン支持部３０の各々の回転軸が一定の距離をとった異軸となり、マネキンとマネキンスタンド１の位置関係の微調整が可能となる。これにより、例えばマネキンの足の後ろにマネキンスタンド１を接近させて見えにくく調整したり、多様な形状の被服の着装感を崩すことなくマネキンに装着させることが可能となり、マネキンのポーズの自由度が向上して被服をより美しく見せることが可能となるとともに、より使い勝手の良いマネキンスタンド１を構成することが可能となった。
【００２９】
また、本発明に係るマネキンスタンド１は、スタンドパイプ２０にガススプリング５０を装備した構成である。スタンドパイプ２０は、図２または図４ａ・図４ｂに示すように、中空のパイプ状部材からなり、クランク状（図１）または直線状（図３）の連結部４０の下端を上下方向に伸縮自在に嵌設保持する構成となっている。また、スタンドパイプ２０の内部には、図２（クランク状の連結部４０）または図４ａ・図４ｂ（直線状の連結部４０）に示すように、連結部４０を伸縮自在に付勢保持するガススプリング５０が装備されている。これにより、連結部４０を介してスタンドパイプ２０とマネキン支持部３０間の自由な伸縮が可能になる。また、僅かな力で伸縮させることが可能となるため、マネキンスタンド１の高さを容易に変更することが可能となり、マネキンスタンド１にマネキンを搭載したままでも着せ替えを行うことが容易となった。
【００３０】
連結部４０は、図２または図４ａ・図４ｂに示すように、ストッパ５２を装備した構成である。ストッパ５２は、ガススプリング５０の自由な伸縮を、任意の場所（高さ）で固定維持するための部材である。これにより、連結部４０の上下の伸縮移動を容易に制御することが可能となる。
【００３１】
ストッパ５２は、本実施例では、ボタン状（図４ａ）またはスイッチの位置の上下を逆転させたフットペダル状（図４ｂ）に形成されたスイッチからなる。このスイッチ操作により、ガススプリング５０の固定維持を解除してスタンドパイプ２０と連結部４０間を伸縮自在にしたり、伸縮自在の状態から固定維持状態とする。これにより、簡易な操作でガススプリング５０の固定・解除の制御が可能となった。なお、ストッパ５２は、上記フットペダルまたはボタンからなるスイッチであるが、これらの形状に限定される事なく、任意のスイッチを適宜の箇所に設置することが可能である。
【００３２】
ストッパ５２は、連結部４０またはスタンドパイプ２０に設置することが可能である。本実施例では、ボタン状のストッパ５２を用いるとき、連結部４０がクランク状の場合は、図２に示すように、連結部４０の上端平面部に設置され、連結部４０が直線状の場合は、図４ａに示すように、連結部４０の上部側面に設置している。また、フットレバー状のストッパ５２を用いるときは、連結部４０がクランク状・直線状の何れの場合においても、スタンドパイプ２０下部に設置する構成であるが（図４ｂ参照）、これらの構成に限定されることはなく、他の任意の場所に設置することが可能である。
【００３３】
本発明に係るマネキンスタンド１の別の実施例として、図５に示すように、ベース１０と、スタンドパイプ２０と、マネキン支持部３０とからなり、ベース１０に垂直に固定立設されたスタンドパイプ２０が、直接、マネキン支持部３０と接続されており、マネキン支持部３０が被服等をまとったマネキン本体を支持してマネキンを安定した状態として展示する構成とすることが可能である。これにより、より簡易な構造で、高さの変更が容易となりマネキンの着せ替えが容易なマネキンスタンド１を構成することが可能となる。
【００３４】
この実施例も同様に、マネキンスタンド１がスタンドパイプ２０にガススプリング５０を装備することが可能である。スタンドパイプ２０は、図６ａおよび図６ｂに示すように、中空のパイプ状部材からなり、マネキン支持部３０の下端を上下方向に伸縮自在に嵌設保持する。スタンドパイプ２０の内部には、図６ａおよび図６ｂに示すように、マネキン支持部３０を伸縮自在に付勢保持するガススプリング５０が装備される。これにより、スタンドパイプ２０とマネキン支持部３０間の自由な伸縮が可能になる簡易な構造のマネキンスタンド１を提供することが可能となる。また、僅かな力で伸縮させることが可能となるため、マネキンスタンド１の高さを容易に変更することが可能となり、マネキンスタンド１にマネキンを搭載したままで着せ替えを行うことが容易となる。
【００３５】
また、スタンドパイプ２０は、図６ａおよび図６ｂに示すように、ストッパ５２を装備した構成とすることが可能である。ストッパ５２は、ガススプリング５０の自由な伸縮を、任意の場所（高さ）で固定維持するための部材であり、マネキン支持部３０の上下の伸縮移動を容易に制御することが可能となる。
【００３６】
ストッパ５２は、本実施例では、ボタン状（図６ａ）またはフットペダル状（図６ｂ）に形成されたスイッチからなり、スイッチ操作により、ガススプリング５０の固定維持を解除してスタンドパイプ２０とマネキン支持部３０との間を伸縮自在にしたり、伸縮自在の状態から固定維持状態とする。これにより、簡易な操作でガススプリング５０の固定・解除の制御が可能となる。なお、ストッパ５２は、上記フットペダルまたはボタンからなるスイッチであるが、これらの形状に限定される事なく、任意のスイッチを適宜の場所に設置することが可能である。
【００３７】
ストッパ５２は、マネキン支持部３０またはスタンドパイプ２０に設置することが可能である。本実施例では、図６ａおよび図６ｂに示すように、ボタン状のストッパ５２（図６ａ）を用いるときにはスタンドパイプ２０の上部側面に設置しており、フットレバー状のストッパ５２（図６ｂ）を用いるときは、スタンドパイプ２０下部に設置しているが、これらの構成に限定されることはなく、他の任意の場所に設置することが可能である。
【００３８】
また、他の実施例として、図７に示すように、ガススプリング５０を設置しない構成とすることが可能である。本実施例では、クランク状の連結部４０は、第一回転軸２２側が曲線を描く形状としているが、この形状に限定されることはなく、角ばった形状で構成する構成とすることも可能である。この構成であっても、スタンドパイプ２０とマネキン支持部３０の２つの回転軸間に一定の距離が設けられることになるため、スタンドパイプ２０とマネキン支持部３０の各々の回転軸が一定の距離をとった異軸となり、マネキンとマネキンスタンド１の位置関係の微調整が可能となる。これにより、マネキンスタンド１が目立たないように調整できるとともに、被服のよれ等の着装感の崩れを防止するとともにマネキンのポーズの自由度を向上させて被服をより美しく見せることが可能となる。
【図面の簡単な説明】
【００３９】
【図１】本発明に係るマネキンスタンドの斜視図
【図２】連結部がクランク状からなるスタンドパイプの側断面図
【図３】マネキン支持部とスタンドパイプを同軸としたマネキンスタンドの斜視図
【図４ａ】連結部が直線状からなるスタンドパイプの側断面図
【図４ｂ】連結部が直線状からなるスタンドパイプの側断面図
【図５】マネキン支持部とスタンドパイプを直結したマネキンスタンドの斜視図
【図６ａ】マネキン支持部とスタンドパイプを直結した場合のスタンドパイプの側断面図
【図６ｂ】マネキン支持部とスタンドパイプを直結した場合のスタンドパイプの側断面図
【図７】マネキンスタンドの他の実施例を示す斜視図
【符号の説明】
【００４０】
１    マネキンスタンド
１０    ベース
２０    スタンドパイプ
２２    第一回転軸
３０    マネキン支持部
３２    第二回転軸
３４    干渉回避部
３６    マネキン結合部
４０    連結部
５０    ガススプリング
５２    ストッパ
【図１】
2016140395.tif 000003
【図２】
2016140395.tif 000004
【図３】
2016140395.tif 000005
【図４ａ】
2016140395.tif 000006
【図４ｂ】
2016140395.tif 000007
【図５】
2016140395.tif 000008
【図６ａ】
2016140395.tif 000009
【図６ｂ】
2016140395.tif 000010
【図７】
2016140395.tif 000011